(57)【要約】【課題】折りたたみやすくて、開きやすい、集塵容量の大きな集塵袋を提供する。【解決手段】塵埃が流入する吸込口１７を有する口芯１４と、口芯１４に取り付けられ、吸込口１７から流入した塵埃を捕集する袋体１６と、袋体１６の全周に略等間隔に配置された複数の枠体１５を備えたもので、枠体１５間の袋体１６が自在に折り曲がることで、袋体１６の全周がまんべんなく折りたたまり、逆に、塵埃が捕集されたときの広がり性もよくなるものである。【選択図】図２
2013135785.tif 000002
【特許請求の範囲】
【請求項１】
塵埃が流入する吸込口を有する口芯と、前記口芯に取り付けられ、前記吸込口から流入した塵埃を捕集する袋体と、前記袋体の全周に略等間隔に配置された複数の枠体を備えた集塵袋。
【請求項２】
少なくとも２種類の大きさの枠体を複数配置した請求項１に記載の集塵袋。
【請求項３】
枠体を袋体の内部に配置した請求項１または２に記載の集塵袋。
【請求項４】
枠体を袋体の外周に配置した請求項１または２に記載の集塵袋。
【請求項５】
請求項１〜４のいずれか１項に記載の集塵袋を備えた電気掃除機。
【発明の詳細な説明】
【技術分野】
【０００１】
本発明は、電気掃除機等に使用される集塵袋と、それを用いる電気掃除機に関するものである。
【背景技術】
【０００２】
従来の電気掃除機などに使用される集塵袋として、図７に示すようなものがある（例えば、特許文献１参照）。図７は、上記特許文献１に記載された従来の集塵袋の断面図である。
【０００３】
図７において、従来の集塵袋６は、口芯１４と、折り込み寸法の浅い前部ジャバラ１８と、折り込み寸法の深い後部ジャバラ１９を備えている。Ｌ１は、口芯１４の縦幅、Ｌ６は、口芯１４の中央に設けた吸込口１７の寸法、Ｌ２は、Ｌ６に対抗する口芯１４の開口寸法、Ｌ５は、集塵袋６の縦方向の折り込み外形最大寸法、Ｌ３とＬ４はシャバラの折り込み寸法である。
【０００４】
上記従来の集塵袋によると、掃除機本体の小型化と部品（集塵袋）共用化のために、寸法や形状及び取付方法の異なる各種掃除機本体の集塵部に問題なく取り付けられ、集塵性能差を生じさせないためには、拡がり面積は、同一で折りたたみ状態をより小形化すなわち前記折り返しのヒダの回数を増やした状態で、従来同等以上の拡がり易さが得られる。また、ジャバラ状の折り返し部が重なり合わないように、ヒダの折込み寸法をずらすことにより、ジャバラ状のヒダを複数設け拡がり易くしても両端のシール折り込み部がかさばり硬化により拡がりを妨げたり、のりづけ作業のバラツキにより両端シール折り替えし部の段差部からのゴミ漏れの発生等がなくなる効果があるとしている。
【先行技術文献】
【特許文献】
【０００５】
【特許文献１】特開平８−０３８４０６号公報
【発明の概要】
【発明が解決しようとする課題】
【０００６】
しかしながら、上記特許文献１に記載されたような従来の集塵袋においては、集塵袋の上下の辺に対しては、ジャバラ状に織り込むことが可能であるが、左右の辺については、言及されておらず、きれいにジャバラ状に折りたたむことが困難であり、結果的に塵埃が捕集されたときの広がりも悪くなるものであった。
【０００７】
本発明は、前記従来の課題を解決するもので、折りたたみ状態でもかさばらず、捕集時には広がりやすい集塵袋、および、それを用いた電気掃除機を提供することを目的とする。
【課題を解決するための手段】
【０００８】
前記従来の課題を解決するために、本発明の集塵袋は、塵埃が流入する吸込口を有する口芯と、前記口芯に取り付けられ、前記吸込口から流入した塵埃を捕集する袋体と、前記袋体の全周に略等間隔に配置された複数の枠体を備えたもので、枠体間の袋体が自在に折り曲がることで、袋体の全周がまんべんなく折りたたまり、逆に、塵埃が捕集されたときの広がり性もよくなるものである。
【０００９】
又、本発明の電気掃除機は、請求項１〜４のいずれか１項に記載の集塵袋を備えたもので、掃除機本体の集塵室の中で集塵袋が広がりやすく、高い集塵容積を備えた電気掃除機を提供できるものである。
【発明の効果】
【００１０】
本発明の集塵袋は、折りたたみ時の厚みもコンパクトで、捕集時の広がり性に優れているので、それを電気掃除機に使用することにより、集塵性能に優れた電気掃除機を提供できる。
【図面の簡単な説明】
【００１１】
【図１】本発明の実施の形態１における集塵袋が取り付けられた電気掃除機の掃除機本体の断面図
【図２】（ａ）同集塵袋の側面図、（ｂ）同集塵袋の塵埃が入り込む方向から見た正面図
【図３】（ａ）同集塵袋を折り畳んだ状態を示す側面図、（ｂ）同集塵袋の正面図
【図４】（ａ）本発明の実施の形態２における集塵袋の側面図、（ｂ）同集塵袋の正面図
【図５】（ａ）同集塵袋を折り畳んだ時の側面図、（ｂ）同集塵袋を折り畳んだ時の正面図
【図６】（ａ）本発明の実施の形態３における集塵袋の側面図、（ｂ）同集塵袋の正面図
【図７】従来の集塵袋の断面図
【発明を実施するための形態】
【００１２】
第１の発明は、塵埃が流入する吸込口を有する口芯と、前記口芯に取り付けられ、前記吸込口から流入した塵埃を捕集する袋体と、前記袋体の全周に略等間隔に配置された複数の枠体を備えたもので、枠体間の袋体が自在に折り曲がることで、袋体の全周がまんべんなく折りたたまり、逆に、塵埃が捕集されたときの広がり性もよくなるものである。
【００１３】
第２の発明は、特に、第１の発明の集塵袋において、少なくとも２種類の大きさの枠体を複数配置したもので、折りたたみ時に、枠体同士が重なることが少なく、集塵袋をコンパクトに折りたたむことが可能となる。
【００１４】
第３の発明は、特に、第１または第２の発明の枠体を袋体の内部に配置したもので、集塵袋が広がる際、枠体が電気掃除機の集塵室内面に引っかかることなくスムーズに広がり、工法的にも、枠体の外周に袋状体を貼り付ければよいため、簡素化できるものである。
【００１５】
第４の発明は、特に、第１または第２の発明の枠体を袋体の外周に配置したもので、塵埃が満杯になったときでも、袋体が枠体で外側から支持されているため、袋体と枠体が離れることがなく、また、袋体が破れにくくなる。
【００１６】
第５の発明に係る電気掃除機は、請求項１〜４のいずれか１項に記載の集塵袋を備えたもので、掃除機本体の集塵室の中で集塵袋が広がりやすく、高い集塵容積を備えた電気掃除機を提供できるものである。
【００１７】
以下、本発明の実施の形態について、図面を参照しながら説明する。なお、この実施の形態によって本発明が限定されるものではない。
【００１８】
（実施の形態１）
本発明の実施の形態１における集塵袋及び電気掃除機について図１〜３を用いて説明する。図１は、本実施の形態における集塵袋が取り付けられた電気掃除機の掃除機本体の断面図、図２（ａ）は、同集塵袋の側面図、図２（ｂ）は、同集塵袋の塵埃が入り込む方向から見た正面図である。なお、上記従来の集塵袋と同一構成部品については同一符号を付して、その説明を省略する。
【００１９】
図１において、本実施の形態における集塵袋６を装着した電気掃除機の掃除機本体１は、塵埃を集める集塵室２と、吸引力を発生する電動送風機３を格納する電動送風機室４に大きく分かれ、その間は、連通孔（図示せず）を備えた隔壁５によって区切られ、前記集塵室２には、前記集塵袋６が、前記電動送風機室４には、電動送風機３が、前記隔壁５に対して、サポートゴム７を介して気密に、それぞれ配されている。
【００２０】
前記電動送風機３の後部には、掃除機本体１に電力を供給するコード８を収納するコードリール９が備えられ、その後方には、電動送風機３からの排気を外部へ逃がすための格子１０が設けられ、その前段には、排気フィルター１１が備えられている。
【００２１】
掃除機本体１の前方には、外部にホース１２が接続されており、ホース１２の差込口先端１３は、集塵袋６に備えられた口芯１４の近くまで差し込まれるようになっている。
【００２２】
図２において、破線で示されるのは、ひご状の細い棒の両端をつなぎ合わせて構成された複数の枠体１５であり、その外側を、紙または布などからなる袋体１６が覆っており、前記枠体１５に接着されている。
【００２３】
枠体１５は、ある程度弾性があり、形状がくずれにくくなっている。また、１４は、厚紙等で構成された口芯であり、袋体１６の開口部１６ａが口芯１４に接着されている。口芯１４の中央には、塵埃を吸い込むための吸込口１７が設けられている。
【００２４】
本実施の形態では、図２（ｂ）に示すように、前記複数の枠体１５は、すべて同形状で形成されている。図３（ａ）は、本実施の形態における集塵袋６を折りたたんだ時の側面図、図３（ｂ）は、折り畳んだ状態の集塵袋６の正面図を示している。
【００２５】
集塵袋６の前後方向に略等間隔で配置された枠体１５が互いに近づくことで、枠体１５間の袋体１６が提灯のようにきれいに折りたたまれ、ほぼ枠体１５を合わせた幅寸法Ｌ７にまで短縮されている。通常は、この図３（ａ）に示される状態が集塵袋６としての初期状態であり、お客様が電気掃除機を購入されたときに、集塵室２に格納されている状態でもある。
【００２６】
以上のような構成のもとで、電動送風機３が運転され、塵埃が吸われると、図３（ａ）の状態で折り畳まれていた集塵袋６は、図２（ａ）の状態にまで開き、塵埃を捕集する。集塵袋６が開くときも、枠体１５の間隔が比較的狭いため、その間の袋体１６の折りたたみ代は浅く、開きやすい。
【００２７】
このように本実施の形態によれば、集塵袋６を、等間隔に並べた枠体１５に袋体１６を被せて構成したことにより、折りたたみやすくて開きやすい集塵袋６が提供でき、集塵容量が大きく、利便性の高い電気掃除機が実現できるものである。
【００２８】
（実施の形態２）
本発明の実施の形態２における集塵袋について図４、図５を用いて説明する。図４（ａ）は、本実施の形態における集塵袋の側面図、図４（ｂ）は、同集塵袋の正面図である。なお、上記実施の形態１における集塵袋と同一構成部品については同一符号を付して、その説明を省略する。
【００２９】
本実施の形態における集塵袋６は、図４に示すように、複数の枠体１５のそれぞれの大きさが異なっている。本実施の形態では、枠体１５は、袋体１６の中央部で最も大きく、両端に行くにつれて小さくなっている。
【００３０】
また、図４（ｂ）に示すように、上下方向だけでなく、左右についても、同様で、枠体１５全体を拡大、縮小したような形となっている。
【００３１】
図５（ａ）は、集塵袋６を折り畳んだ時の側面図、図５（ｂ）は、集塵袋６を折り畳んだ時の正面図である。等間隔で配置されていた枠体１５が互いに近づくことで、枠体１５間の袋体１６が提灯のようにきれいに折り畳まれ、幅寸法Ｌ８にまで短縮されている。
【００３２】
これは、上記実施の形態１で示した図３（ａ）のＬ７より小さい寸法である。本実施の形態では、枠体１５の大きさが全て同一ではないため、大きな枠体１５の中に、小さな枠体１５が納まり、よりコンパクトに折り畳むことが可能となる。通常は、この図５（ａ）の状態が集塵袋６としての初期状態であり、集塵袋６を単体で販売するときなどには、非常に便利である。また、お客様が集塵袋６を交換するときにも、幅寸法が小さい方がやりやすい。
【００３３】
そして、電動送風機３が運転され、塵埃が吸われると、図５（ａ）の状態で折りたたまれていた集塵袋６は、図４（ａ）の状態にまで開き、塵埃を捕集する。枠体１５の大きさを電気掃除機の集塵室２の内面形状に近いものにすると、集塵室２内の空きスペースが減り、より高い集塵容積が得られる。
【００３４】
このように本実施の形態によれば、集塵袋６の複数の枠体１５の大きさを変えることで、よりコンパクトに折り畳むことが出来、大きさの設定次第で、集塵容量も増やすことが可能で、利便性の高い集塵袋及び電気掃除機が実現できるものである。
【００３５】
（実施の形態３）
図６（ａ）は、本発明の実施の形態３における集塵袋の側面図、図６（ｂ）は、同集塵袋の正面図である。なお、上記実施の形態１、２における集塵袋と同一構成部品については同一符号を付して、その説明を省略する。
【００３６】
本実施の形態における集塵袋は、図６（ａ）に示すように、複数の枠体１５を、袋体１６の外側に配置している。また、枠体１５のそれぞれの大きさが異なっており、袋体１６の中央部で最も大きく、両端に行くにつれて小さくなっている。さらに、図６（ｂ）に示すように、上下方向だけでなく、左右についても同様で、枠体１５全体を拡大、縮小したような形となっている。
【００３７】
このように、枠体１５が、袋体１６の外側に配され、袋体１６が枠体１５で外側から支持されているため、袋体１６と枠体１５が離れることがなく、また、袋体１６が破れにくいものである。
【００３８】
このように本実施の形態によれば、集塵袋６の複数の枠体１５を、袋体１６の外側に配置することで、破れにくい集塵袋６を実現でき、利便性の高い電気掃除機が実現できるものである。
【産業上の利用可能性】
【００３９】
本発明にかかる集塵袋は、折りたたみ状態でもかさばらず、捕集時には広がりやすいもので、電気掃除機に幅広く適用できる。
【符号の説明】
【００４０】
１    掃除機本体
２    集塵室
３    電動送風機
４    電動送風機室
５    隔壁
６    集塵袋
７    サポートゴム
８    コード
９    コードリール
１０  格子
１１  排気フィルター
１２  ホース
１３  差込口先端
１４  口芯
１５  枠体
１６  袋体
１７  吸込口
１８  前部ジャバラ
１９  後部ジャバラ
【図１】
2013135785.tif 000003
【図２】
2013135785.tif 000004
【図３】
2013135785.tif 000005
【図４】
2013135785.tif 000006
【図５】
2013135785.tif 000007
【図６】
2013135785.tif 000008
【図７】
2013135785.tif 000009